(57)【要約】【課題】複数に設けた個別の蛇口より、必要に応じた塩素濃度の調整水を取水できる、残留塩素濃度調整装置を提供することを目的とする。【解決手段】水道水の残留塩素を除去または低減するため、残留塩素除去装置１０で塩素を除去処理した処理水流路４０に複数の分岐流路４１を設け、前記分岐流路４１の各々に水道水の入水部４４，４５、を形成し、処理水流路４０と水道水流路３０の各々に逆流防止弁３４，３８，４３、と開閉バルブ３３、３７、４２、を設け、水道水を所定の処理水分岐流路４６に混合調整し流水して取水ができる。【選択図】図４
2018130714.tif 000002
【特許請求の範囲】
【発明の詳細な説明】
【技術分野】
【０００１】本発明は、個別の蛇口に必要に応じた塩素濃度の調整水を取水できる残留塩素濃度調整装置。
【背景技術】
【０００２】従来より、水道水の残留塩素の安全性に不安から、塩素を除去する浄水器の導入が増加している、何故ならば残留塩素によって、料理に使う水道水にカルキ臭がする、お茶、コーヒーがまずい、食材の味や栄養が損なわれる、入浴の場合は、肌や髪のタンパク質にダメージを与え、髪の傷みの原因となっている、洗濯は、汚れが落にくいなどが残留塩素の原因といわれている。【０００３】近年では、幼稚園、保育園、低学年の子供達にアトピー皮膚炎が多く見かけられるようになり、これもお風呂の残留塩素が少なくとも関わっているのではと思案する。【０００４】依って、浄水器が残留塩素を除去することで、脱臭効果、水道水が美味しくなる効果、肌や髪にダメージを与えない効果等を得られることが広く知られている。【０００５】世界でも日本の水道水は、安全、安心、美味しい水である、併しながら残留塩素の不安から、キッチン、お風呂、シャワー、洗面、トイレなど家じゅうの水道水と給湯水を、浄水する方式がオール浄水と呼ばれ、戸建やマンションなどで、安全性が強く求められ広く普及されつつある。【０００６】併し、水洗トイレのタンクは浄水が注水され、カビが発生し易いという問題が施工後におきることが分かり改善課題とされていた。【０００７】２０１１年の浄水器の普及率は、浄水器協会によれば全国の家庭の４０％に及んでいるという調査結果があり、他に、何らかの水に対する対策を採っているのが現状で、例えば、ウオーターサーバーの利用やペットボトル水の購入なども増加している。【０００８】併し、水道水の安全のために浄水場で投入された塩素が、水道水に残留したものですが、水道法（水道法施行規則）によって、安全性確保のために蛇口から出る水道水には、必ず一定の残留塩素があるように定められ、水道水中の遊離残留塩素濃度は、各家庭の蛇口（給水栓）で、１リットル当たり０．１ｍｇ（０．１ｐｐｍ）以上の濃度を保持していることが義務づけられている、上限濃度は決っておらず一応の目標値としては１ＰＰＭ以下であることから、それ以上の場所も多々あって０．４ｐｐｍは普通に伺い知ることができる。【０００９】特許文献で、脱塩力を有する浄水器の取入口に外部から水を取り込む水路を接続し、同浄水器の取出口に外部に水を送り出す出水路を接続し、前記入水路と前記出水路をバイパスするバイパス水路を設け、同バイパス水路の途中にバイパス量を調整する流量調整バルブを設け、浄水器で処理した浄化水と処理しない原水を所定の比率で混合して取出すようにした水質改善装置を提案している。
【先行技術文献】
【特許文献】
【００１０】
【特許文献１】実用新案登録第３０７２９０９号
【発明が解決しようとする課題】
【００１１】上記浄水器のバイパス配管に設けた流量調整バルブは、元々浄水器内フイルターの目詰まりを逆流洗浄して洗い流すことを主眼に構成されたバルブを利用しているため、浄水器内濾過抵抗で通過流水圧力と二次直流水道圧力に相異が生じ下記の現象が起きていた。
【００１２】例えば、蛇口の大流水では塩素混合濃度は少量で、蛇口の小流水では塩素混合濃度が大になるという現象が起きて、使用する流水量によっては大きな相違が生じていた、従って、配管内の残留水に塩素混合濃度の強弱ができて、クレームの原因となっていた、現実では殆んど流量調整バルブは止めて、流量調整を行っていないのが現状で浄水のみを流水している。
【００１３】塩素除去処理した複数流路の各々に水道水の入水部を形成し、その各々水路に逆流防止弁と開閉バルブを設け、水道水を所定の処理水流路に混合調整して、個別の蛇口に必要に応じた塩素濃度の調整水を取水できる、残留塩素濃度調整装置を提供することを目的とする。
【課題を解決するための手段】
【００１４】請求項１では、水道水の残留塩素を除去または低減するため、残留塩素除去装置１０で塩素を除去処理した処理水流路４０に複数の分岐流路４１を設け、前記分岐流路４１の各々に水道水の入水部４４，４５、を形成し、処理水流路４０と水道水流路３０の各々に逆流防止弁３４，３８，４３、と開閉バルブ３３、３７、４２、を設け、水道水を所定の処理水分岐流路４７に混合調整して流水し、個別の蛇口５５に必要に応じた塩素濃度の調整水を取水できることを特徴とする残留塩素濃度調整装置。
【００１５】請求項２では、上記水道水流路３０に複数のクロス分岐３１を設け、第一分岐３２には微調整バルブ３３を第二分岐３６には開閉バルブ３７を設けたことを特徴とする請求項１記載の残留塩素濃度調整装置。
【００１６】請求項３では、建物の設備に引き込んだ配管５６の各々を、残留塩素濃度調整装置２０と連結することを特徴とする請求項１記載の残留塩素濃度調整装置。
【００１７】請求項４では、上記残留塩素濃度調整装置２０は外装ケース６０で覆い、水道水入水部２１と処理水入水部２２を外装ケース６０の外部で連結可能に取出し、混合調整の流水流路の取出部４７は外装ケース６０の裏面に連結可能に取出し、外装ケース６０の正面に開口扉を形成していることを特徴とする請求項１記載の残留塩素濃度調整装置。
【発明の効果】
【００１８】本発明は上記構成を備え、次の特有の効果を発揮する。
残留塩素濃度調整装置を設置することで、水道法指導に基づいた、個別の蛇口より必要に応じた残留塩素濃度の調整水を取水できる、また、何時でも各蛇口の残留塩素濃度の調整と変更が可能となる。
【図面の簡単な説明】
【００１９】
【図１】塩素除去装置と塩素濃度調整装置の連結配管と宅内配管全体の概要説明斜視図。
【図２】図２は図１のＫ部拡大図で説明する。
【図３】塩素濃度調整装置流路を水道水主管と処理水主管を二分割構成なる説明斜視図。
【図４】水道水主管と処理水主管の二分割をユニオンで組合せ流路を構成した斜視図。
【図５】塩素濃度調整装置の流路複数まとめた斜視図。
【発明を実施するための形態】
【００２０】図１は、塩素除去装置と塩素濃度調整装置の連結配管と宅内配管全体の概要説明斜視図である。
（残留塩素除去装置とは、従来より、当人が既存しているものを使用する。）
【００２１】図２は図１のＫ部拡大図で説明する。水道水本管５０より敷地内に引き込まれた水道メーター５１より先の二次側配管５２の計量やメーター交換に支障のない位置に塩素除去装置１０と残留塩素濃度調整装置２０を設置する。
【００２２】塩素除去装置１０は、水道水の入水部１１と処理水の出水部１７を形成し、入水部１１と出水部１７にはステンレス部材を用いたパーツ部品を装備している。
【００２３】パーツ部品の入水部１１には分岐チーズ１２と逆流防止弁１３と連結ユニオン１４とバルブ１５で形成し、二次側水道管５２と容易にユニオン１４連結できる。
【００２４】上記パーツ部品の分岐チーズ１２は連結ユニオン１６を形成し、残留塩素濃度調整装置２０の水道水入水部２１と接続する。
【００２５】一方処理水の出水部１７パーツ部品は連結ユニオン１８を形成している、その連結ユニオン１８は残留塩素濃度調整装置２０の処理水入水部２２と連結する。
【００２６】残留塩素濃度調整装置２０は、処理水と水道水の混合比率を調整して、建物５３の設備に引き込んだ配管ライン５４の個別の蛇口５５に必要に応じた塩素濃度の調整水を取水できる。
【００２７】図３では、塩素濃度調整装置２０の流水配管部を、水道水流路３０と処理水流路４０を二分割で構成なる説明をする。
【００２８】先ず、水道水流路３０を説明する。塩素除去装置１０の入水手前で分岐した先の水道水流水配管を構成の中で水道水流路３０と呼ぶ、その水道水流路３０は水道入水部を有した先に、クロス継手３１を直列に複数用いて第一流水分岐枝管３２第二流水分岐枝管３６を形成する、第一分岐枝管３２の各々に微量調整バルブ３３、逆流防止弁３４、第一ユニオン３５を用いて形成する、一方第二分岐枝管３６には開閉バルブ３７、逆流防止弁３８、第二ユニオン３９を用いて形成した水道水の流水配管部分である、下記で説明する処理水流路４０と連結する。
【００２９】次に、処理水流路４０を説明する。塩素除去装置１０で処理した流水配管を構成の中で処理水流路４０と呼ぶ、その処理水流路４０は入水部を有し、処理水流路の先に元分岐チーズ継手４１を直列に複数用いて、その元分岐チーズ継手４１の各々の先に開閉バルブ４２、逆流防止弁４３、第一分岐チーズ継手４４を用いて順次に組立てる、その先に直管を有して第二分岐チーズ継手４５を設ける、この第二分岐チーズ継手４５を用いてアダプター４６を形成している、後で述べる宅内の配管ポリブデン管と接続できる部分である。
【００３０】図４は、上記の水道水流路３０と処理水流路４０の二分割を、下記の連結ユニオンで組合せ流路を構成する。
【００３１】塩素濃度調整装置２０は水道水流路３０と処理水流路４０を基礎管として分岐流路を複数本の組立てた、その処理水流路４０の第一分岐チーズ継手４４と第二分岐チーズ継手４５を、水道水流路３０に設けた第一ユニオン３５を処理水流路４０の第一分岐チーズ継手４４と連結して、第二ユニオン３９は第二分岐チーズ継手４５と連結して、水道水流路３０と処理水流路４０を最小にまとめてユニオン連結して塩素濃度調整装置２０の流路構成したものである。
【００３２】図２参照、塩素濃度調整装置２０はステンレスで製作した、（外装ケース６０は図示せず）外装ケース６０で覆い形成している、外装ケース６０の前面部に上下開閉なる扉を設け、流量調整バルブを容易に操作できる構成として、その外装ケース６０の裏面に複数のアダプター４７を配置している、図２参照、アダプター４７については、後で述べる外部のポリブデン管と接続ができるようにしている。
【００３３】外装ケース６０に納めた水道水流路３０と処理水流路４０の入水部は、外装ケース６０の両側面で水道水流路３０と処理水流路４０の入水部をプラグ止めして、塩素除去装置２０の左右の何れにも配管と設置を可能としている、施工は、図２参照、塩素除去装置１０に装備した入水部パーツ部品ユニオン１６、出水部パーツ部品のユニオン１８と、塩素濃度調整装置２０の水道水入水部２１と処理水入水部２２の接続が容易にできる。
【００３４】図１参照、残留塩素調整装置２０を実施するには、戸建やマンションなどの水道配管施行方法が、従来より、開発されたヘッダー工法が普通及し施工されている、その施工方法は柔軟性があるパイプを用いて、個別の末端蛇口よりパイプ５６の端部５７を必要とする位置まで引出して、パイプの端部をまとめて集結する施工方法である。
【００３５】上記のヘッダー工法を用いてパイプ５６の端部５７を集結してまとめ、本発明の残留塩素調整装置２０に設けたアダプター４６と、宅内設備の配管端部５７を接続することで、個別の蛇口５５に必要に応じた塩素濃度の調整水を取水することができる。
【００３６】バルブの操作に付いて図４参照で説明する。
【００３７】処理水流路と水道水流路に設けた各々のバルブを操作しながら、処理水と水道水の混合比率を確定する部分である。
【００３８】先ず、水道水流路３０の第一分岐に設けた微調整流水バルブ３３は、水道水を微量な流水調整を可能としたバルブである。
【００３９】水道水流路３０の第二分岐に設けた開閉バルブ３７は、水道水を中〜大流水に必要とする開閉バルブを使用している。
【００４０】処理水流路４０の元分岐チーズ継手４１枝分岐の先に設けた開閉バルブ４２は、処理水を中〜大流水に必要とする開閉バルブを使用している。
【００４１】逆流防止弁に付いて図４参照で説明する。
【００４２】装置内の配管は複数流路で形成し全て連通しているため、例えば、処理水流路４０の一箇所を大量取水することで逆流防止弁を具備していないと、処理水流路４０と水道水流路３０の水圧相異が生じ、水道水流路３０の方が特に圧力が高いため装置内個々の水道水が処理水に流入する。
【００４３】また、水道水流路３０の一箇所を大量取水することで逆流防止弁を具備していないと、塩素除去装置１０と元々配管経路が同じであるため、装置内個々の処理水が水道水に流入する。
【００４４】上記の逆流を引き起こす現象を防止するため、逆流防止弁を装備したものである。
【００４５】残留塩素調整装置の流水構成と操作方法を図１図４図５参照で説明する。
【００４６】処理水を主に取水する設備は、例えば、キッチン取水、シャワー水、ウォシュレットの水、洗面水、電気温水器、の場合、第二分岐をバルブ閉３７にして、枝分岐の開閉バルブ４２を全開して、第一分岐の微調整流水バルブ３３で調整しながら、残留塩素測定器を使って、個別の蛇口に必要に応じた塩素濃度含有の処理水を取水することができる。
【００４７】また、水道水を主に取水する設備は、例えば、水洗トイレ、食器洗浄器、洗濯機、風呂等の場合、水道水流路３０の第一分岐の微調整流水バルブ閉３３にして、処理水流路４０のバルブ４２と水道水流路３０の第二分岐バルブ３７を開閉流量調整しながら、個別の蛇口に必要に応じた塩素濃度含有水を取水することができる。
【符号の説明】
【００２８】１０  残留塩素除去装置
２０  残留塩素濃度調整装置
２１  水道水入水部
２２  処理水入水部
３０  水道水流路
３１  クロス分岐
３２  第一分岐
３３  微調整バルブ
３４  逆流防止弁
３５  第一ユニオン
３６  第二分岐
３７  開閉バルブ
３８  逆流防止弁
４０  処理水流路
４１  分岐流路
４２  開閉バルブ
４３  逆流防止弁
４４  入水部
４５  入水部
４６  処理水分岐流路
４７  取出部
５５  蛇口
５６  配管
６０  外装ケース
【図１】
2018130714.tif 000003
【図２】
2018130714.tif 000004
【図３】
2018130714.tif 000005
【図４】
2018130714.tif 000006
【図５】
2018130714.tif 000007
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
水道水の残留塩素を除去または低減するため、残留塩素除去装置１０で塩素を除去処理した処理水流路４０に複数の分岐流路４１を設け、前記分岐流路４１の各々に水道水の入水部４４、４５、を形成し、処理水流路４０と水道水流路３０の各々に逆流防止弁３４、３８、４３、と開閉バルブ３３、３７、４２、を設け、水道水を所定の処理水分岐流路４６に混合調整して流水し、個別の蛇口５５に必要に応じた塩素濃度の調整水を取水できることを特徴とする残留塩素濃度調整装置。
【請求項２】
上記水道水流路３０に複数のクロス分岐３１を設け、第一分岐３２には微調整バルブ３３を第二分岐３６には開閉バルブ３７を設けたことを特徴とする請求項１記載の残留塩素濃度調整装置。
【請求項３】
建物の設備に引き込んだ配管５６の各々を、残留塩素濃度調節装置２０と連結することを特徴とする請求項１記載の残留塩素濃度調整装置。
【請求項４】
上記残留塩素濃度調整装置２０は外装ケース６０で覆い、水道水入水部２１と処理水入水部２２を外装ケース６０の外部で連結可能に取出し、混合調整の流水流路の取出部４７は外装ケース６０の裏面に連結可能に取出し、外装ケース６０の正面に開口扉を形成していることを特徴とする請求項１記載の残留塩素濃度調整装置。